(57)【要約】【課題】防犯錠を確実に施錠し、鍵の閉め忘れを防止することができる防犯錠を提供すること。【解決手段】施錠部材保持片３と、この施錠部材保持片３に装着されるシリンダ錠５１を備えた施錠部材５とからなり、施錠部材５を開き戸１に外側から当接させることにより施錠を行う防犯錠において、施錠部材５のシリンダ錠５１に、シリンダ５５の解錠位置でキー５２を抜けない状態にする抜止機構と、解錠位置でシリンダ５５の回転を阻止するようにシリンダ５５に係合し、かつ、装着した施錠部材保持片３に押圧されることより係合を解くカム６とを設ける。【選択図】図３
2008267086.tif 000002
【特許請求の範囲】
【請求項１】
施錠部材保持片と、該施錠部材保持片に装着されるシリンダ錠を備えた施錠部材とからなり、該施錠部材を開き戸に当接させることにより施錠を行う防犯錠において、施錠部材のシリンダ錠に、シリンダの解錠位置でキーを抜けない状態にする抜止機構と、解錠位置でシリンダの回転を阻止するようにシリンダに係合し、かつ、装着した施錠部材保持片に押圧されることより係合を解くカムとを設けたことを特徴とする防犯錠。
【発明の詳細な説明】
【技術分野】
【０００１】
本発明は、例えば、マンション等の開き戸に後付けの補助錠として使用する防犯錠に関し、特に、防犯錠を確実に施錠し、鍵の閉め忘れを防止することができる防犯錠に関するものである。
【背景技術】
【０００２】
近年、ピッキングによる盗難対策として、マンション等の開き戸に後付けの防犯錠が設置される機会が多くなっている。
この防犯錠としては、例えば、本件出願人による特許文献１に示されるように、開き戸の戸枠側に、開き戸の開き方向に突出する施錠部材保持片を取り付け、この施錠部材保持片に施錠部材を装着し、この施錠部材を開き戸に外側から当接させることにより施錠を行う防犯錠が知られている。
【０００３】
ところで、この防犯錠は、一般家庭での２重ロックという目的以外に、賃貸管理会社で空室物件の管理に使われている。
具体的には、メインの錠前は開けたままにしておき、防犯錠のみで施錠や開錠を行い、物件を見たい場合には、見学希望者が防犯錠のキーを管理会社から借り、現地に行って見学した後、再び防犯錠を施錠してキーを管理会社に返すというシステムになっている。
【０００４】
しかし、見学希望者は物件を見学した後、キーを返却するために管理会社に戻るが、従来の防犯錠は、施錠部材保持片から施錠部材を外した状態でも、キーを施錠位置にすれば抜き取れることから、防犯錠を実際に施錠したかどうかが分からず、担当者が現地に行くと施錠されていないケースが多々あるという問題があった。
【特許文献１】特開２００４−２０４４６７号公報
【発明の開示】
【発明が解決しようとする課題】
【０００５】
本発明は、上記従来の防犯錠が有する問題点に鑑み、防犯錠を確実に施錠し、鍵の閉め忘れを防止することができる防犯錠を提供することを目的とする。
【課題を解決するための手段】
【０００６】
上記目的を達成するため、本発明の防犯錠は、施錠部材保持片と、該施錠部材保持片に装着されるシリンダ錠を備えた施錠部材とからなり、該施錠部材を開き戸に当接させることにより施錠を行う防犯錠において、施錠部材のシリンダ錠に、シリンダの解錠位置でキーを抜けない状態にする抜止機構と、解錠位置でシリンダの回転を阻止するようにシリンダに係合し、かつ、装着した施錠部材保持片に押圧されることより係合を解くカムとを設けたことを特徴とする。
【発明の効果】
【０００７】
本発明の防犯錠によれば、施錠部材のシリンダ錠に、シリンダの解錠位置でキーを抜けない状態にする抜止機構と、解錠位置でシリンダの回転を阻止するようにシリンダに係合し、かつ、装着した施錠部材保持片に押圧されることより係合を解くカムとを設けることから、施錠部材を施錠部材保持片に装着し、シリンダを施錠位置に回転させなければキーを抜くことができず、これにより、キーを抜くときには防犯錠が確実に施錠され、鍵の閉め忘れを防止することができる。
【発明を実施するための最良の形態】
【０００８】
以下、本発明の防犯錠の実施の形態を、図面に基づいて説明する。
【実施例１】
【０００９】
図１〜図３に、本発明の防犯錠の一実施例を示す。
この防犯錠は、例えば、開き戸１の戸枠２の一部に、開き戸１の開き方向に突出する施錠部材保持片３をクランプホルダー４により取り付けるとともに、この施錠部材保持片３にシリンダ錠５１を備えた施錠部材５を装着し、該施錠部材５を開き戸１に外側から当接させることにより施錠を行うようにしている。
そして、この防犯錠は、施錠部材５のシリンダ錠５１に、シリンダ５５の解錠位置でキー５２を抜けない状態にする抜止機構と、解錠位置でシリンダ５５の回転を阻止するようにシリンダ５５に係合し、かつ、装着した施錠部材保持片３に押圧されることより係合を解くカム６とを設けるようにしている。
【００１０】
施錠部材保持片３は、図１〜図２、図４（ａ）に示すように、クランプホルダー４の先端に一体に形成されており、施錠用係止部としての透孔３１が形成されている。
クランプホルダー４は、ホルダー本体４１に回動可能に枢支したねじボルト４２に把持片４３を螺合させており、これにより、ねじボルト４２を軸方向に出没させることなく把持片４３のみを移動させ、クランプホルダー４を戸枠２に固定できるようにしている。
【００１１】
施錠部材５は、図１、図３又は図６〜図７に示すように、直方体状の本体５０に、錠機構として、シリンダ錠５１と、シリンダ錠５１と反対側に形成され、施錠部材保持片３が挿入されるスリット穴５３とを有し、シリンダ錠５１にキー５２を差し込んで回すことにより、スリット穴５３の奥に出没可能に設けられたラッチボール５４を突出状態で固定するようにしている。
そして、スリット穴５３に挿入された施錠部材保持片３の透孔３１を、このラッチボール５４で係止することにより、これら施錠部材保持片３に施錠できるようにしている。
【００１２】
施錠部材５のシリンダ錠５１には、シリンダ５５の解錠位置でキー５２を抜けない状態にする抜止機構が設けられている。
このシリンダ５５の解錠位置でキー５２を抜けない状態にする抜止機構としては、本実施例において採用している、シリンダ５５の解錠位置でシリンダ錠５１のタンブラ（図示省略）がキー５２のディンプルや凹凸に挿入状態で固定されることによってキー５２を抜け止めするようにするほか、シリンダ錠５１及びキー５２にキー５２の抜止機構（例えば、スリットと突起からなる抜止機構）を形成して、キー５２が施錠位置にあるときを除いて、キー５２を抜け止めするようにする公知の機構を採用することができる。
【００１３】
また、施錠部材のシリンダ錠５１には、図３に示すように、シリンダ５５の解錠位置でその回転を阻止するようにシリンダ５５に係合し、かつ、装着した施錠部材保持片３に押圧されることより移動し、シリンダ５５との係合を解くカム６が設けられている。
カム６は、図４（ｂ）にも示すように、本実施例ではＵ字状の金属プレートからなり、シリンダ５５を跨ぐように配設され、ばね６１によりシリンダ側に付勢されている。
そして、カム６は、ばね６１に付勢されることにより、図３（ｄ）〜（ｆ）に示すように、湾曲部内側に設けた突起６２がシリンダ外周面の凹溝５６に嵌合し、シリンダ５５を解錠位置でその回転を阻止する。
これにより、使用者は、キー５２をこの解錠位置から回転させることができず、解錠位置ではキー５２の抜止機構の作用によってキー５２を抜くことができない。
【００１４】
また、カム６は、図３（ａ）〜（ｃ）に示すように、施錠部材保持片３が施錠部材５のスリット穴５３に挿入されることにより、カム６の脚部６３の先端が施錠部材保持片３に押圧され、付勢方向と反対側に退入する。
カム６が退入することにより、カム６はその突起６２とシリンダの凹溝５６との嵌合を解き、シリンダ５５の回転を許容する。
これにより、使用者は、シリンダ５５に差し込まれているキー５２を施錠位置に回転させることができ、この施錠位置ではキー５２抜止機構が作用しないため、キー５２を抜き取ることができる。
このように、本実施例の防犯錠は、施錠部材５を施錠部材保持片３に装着し、シリンダ５５を施錠位置に回転させなければキー５２を抜くことができず、これにより、キー５２を抜くときには防犯錠が確実に施錠され、鍵の閉め忘れを防止することができる。
【００１５】
図８に、カムが異なる施錠部材の他の実施例を示す。
この施錠部材５のカム６は、スリット穴５３の上でシリンダ５５の側方に配設された金属片からなり、ブロック状のカム本体６４と、このカム本体６４からスリット穴５３の側端部に延設された脚部６５とを備え、シリンダ５５の解錠位置で、カム本体６４がシリンダ５５のラッチボール受容部５７の下に突出するように、ばね６１によりシリンダ側に付勢されている。
そして、このカム６は、図８（ａ）に示すように、ばね６１に付勢されることにより、カム本体６４の先端部がシリンダ５５の平面状のラッチボール受容部５７に係止し、シリンダ５５を解錠位置でその回転を阻止する。
これにより、使用者は、キー５２をこの解錠位置から回転させることができず、解錠位置では抜止機構が作用するためキー５２を抜くことができない。
【００１６】
また、カム６は、図８（ｂ）に示すように、施錠部材保持片３が施錠部材５のスリット穴５３に挿入されることにより、カム本体６４からスリット穴５３の側端部に延設された脚部６５が施錠部材保持片３に押圧され、付勢方向と反対側に退入する。
カム６が退入することにより、カム本体６４とシリンダ５５のラッチボール受容部５７との係合が解かれ、シリンダ５５の回転が許容される。
これにより、使用者は、シリンダ５５に差し込まれているキー５２を施錠位置に回転させることができ、この施錠位置では抜止機構が作用しないため、キー５２を抜き取ることができる。
【００１７】
かくして、本実施例の防犯錠は、施錠部材５のシリンダ錠５１に、シリンダ５５の解錠位置でキー５２を抜けない状態にする抜止機構と、解錠位置でシリンダ５５の回転を阻止するようにシリンダ５５に係合し、かつ、装着した施錠部材保持片３に押圧されることより係合を解くカム６とを設けることにより、施錠部材５を施錠部材保持片３に装着し、シリンダ５５を施錠位置に回転させなければキー５２を抜くことができず、これにより、キー５２を抜くときには防犯錠が確実に施錠され、鍵の閉め忘れを防止することができる。
【００１８】
以上、本発明の防犯錠について、その実施例に基づいて説明したが、本発明は上記実施例に記載した構成に限定されるものではなく、その趣旨を逸脱しない範囲において適宜その構成を変更することができる。
【産業上の利用可能性】
【００１９】
本発明の防犯錠は、防犯錠を確実に施錠し、鍵の閉め忘れを防止するという特性を有していることから、一般家庭での２重ロックという目的以外に、例えば、賃貸管理会社での空室物件の管理の用途に好適に用いることができる。
【図面の簡単な説明】
【００２０】
【図１】本発明の防犯錠の一実施例を示す分解斜視図である。
【図２】同防犯錠の取付状態を示す平面図である。
【図３】同防犯錠の施錠部材を示し、（ａ）は施錠部材保持片を装着してシリンダを施錠位置とした断面図、（ｂ）は同断面側面図、（ｃ）は同正面図、（ｄ）は施錠部材保持片が装着されることなくシリンダが解錠位置にある断面図、（ｅ）は同断面側面図、（ｆ）は同正面図である。
【図４】同防犯錠を示し、（ａ）はクランプホルダーの２面図、（ｂ）はカムの２面図、（ｃ）はばねの正面図である。
【図５】同防犯錠を示し、（ａ）はシリンダ錠の４面図、（ｂ）はキーの２面図である。
【図６】裏板を外した施錠部材本体を示す４面図である。
【図７】施錠部材本体の裏板を示す４面図である。
【図８】カムが異なる施錠部材の他の実施例を示し、（ａ）は施錠部材保持片が装着されることなくシリンダが解錠位置にある断面図、（ｂ）は施錠部材保持片を装着してシリンダを施錠位置とした断面図である。
【符号の説明】
【００２１】
１    開き戸
２    戸枠
３    施錠部材保持片
４    クランプホルダー
５    施錠部材
５０  本体
５１  シリンダ錠
５２  キー
５３  スリット穴
５４  ラッチボール
５５  シリンダ
５６  凹溝
５７  ラッチボール受容部
６    カム
６１  ばね
６２  突起
６３  脚部
６４  カム本体
６５  脚部
【図１】
2008267086.tif 000003
【図２】
2008267086.tif 000004
【図３】
2008267086.tif 000005
【図４】
2008267086.tif 000006
【図５】
2008267086.tif 000007
【図６】
2008267086.tif 000008
【図７】
2008267086.tif 000009
【図８】
2008267086.tif 000010